(57)【特許請求の範囲】
【請求項１】
画像処理のジョブに関する処理を実行し、所定の省電力モードの下において通常動作モードの下におけるよりも電力の消費が制限される１つ又は複数の第１制御部と、
前記第１制御部を制御し、前記省電力モードの下において前記通常動作モードの下におけるよりも電力の消費が制限される第２制御部と、
前記第２制御部よりも消費電力が小さく、前記省電力モードの下において前記通常動作モードの下におけるよりも電力の消費が制限されない第３制御部と、
前記第２制御部と前記第３制御部との間に介在し、前記第２制御部及び前記第３制御部により行われる所定の初期化工程を経て、前記第２制御部と前記第３制御部との間のデータ伝送を中継する第１データ伝送部と、
前記第２制御部と前記第３制御部との間に介在し、前記初期化工程を経ることなく前記第３制御部から前記第２制御部へのデータ伝送を中継する第２データ伝送部と、を備え、
前記第３制御部は、前記省電力モードの下で、前記ジョブに対応した所定の復帰イベントの検出処理を行い、前記復帰イベントが検出されたときに、前記第２制御部を起動して電力消費の制限が解除された状態へ移行させる処理と、前記第１制御部の起動の条件に関する復帰条件情報を生成する処理と、前記第２データ伝送部を用いて前記復帰条件情報を出力する処理とを行い、
前記第３制御部により起動された前記第２制御部は、前記第２データ伝送部を通じて前記復帰条件情報を取得する処理と、該復帰条件情報に基づいて前記第１制御部を起動して電力消費の制限が解除された状態へ移行させる処理と、起動した前記第１制御部を制御することによる前記ジョブの実行とを行う、ことを特徴とする画像処理装置。
【請求項２】
前記第２データ伝送部は、前記第３制御部と前記第２制御部との両方からデータの記録及びデータの参照が可能であり、前記省電力モードの下において前記通常動作モードの下におけるよりも電力の消費が制限されないメモリである、請求項１に記載の画像処理装置。
【請求項３】
外部装置とのデータ通信を制御する通信制御部を備え、
前記通信制御部は前記第３制御部を兼ねる、請求項２に記載の画像処理装置。
【請求項４】
前記第２制御部は、前記ジョブの実行の結果に関する結果情報を前記メモリに記録し、
前記通信制御部は、前記省電力モードの下で、前記外部装置からの要求に応じて前記メモリに記録された前記結果情報を送信する、請求項３に記載の画像処理装置。
【請求項５】
前記第２データ伝送部は、前記第３制御部から前記第２制御部へデータを伝送する信号伝送ラインである、請求項１に記載の画像処理装置。
【請求項６】
外部装置とのデータ通信を制御する通信制御部を備え、
前記通信制御部は前記第３制御部を兼ねる、請求項５に記載の画像処理装置。
【請求項７】
前記第２制御部と前記第３制御部との間に介在し、前記初期化工程を経ることなく前記第２制御部から前記第３制御部へのデータ伝送を中継する第３データ伝送部をさらに備え、
前記第３制御部は、前記ジョブの実行の結果に関する結果情報を前記第３データ伝送部を通じて前記結果情報を取得し、前記省電力モードの下で、前記外部装置からの要求に応じて前記結果情報を送信する、請求項６に記載の画像処理装置。
【発明の詳細な説明】
【技術分野】
【０００１】
本発明は、画像処理装置に関し、特に、制御部に対する電力消費が制限された省電力モードから速やかに復帰できる画像処理装置に関するものである。
【背景技術】
【０００２】
昨今、プリンタ、複写機、ファクシミリ装置、又はそれらの装置の機能を併せ持つ複合機等の画像処理装置は、省電力化について益々高い要求が課されている。また、昨今の画像処理装置は、機能に応じて区分された複数の制御部を備え、状況に応じてそれら複数の制御部の一部が休止状態となる省電力モードへ移行することにより、消費電力を抑制する。この場合、省電力モードにおいても電力が供給される制御部が、画像処理のジョブに対応した所定の復帰イベントを検出し、消費電力が制限されて休止状態となっている制御部を起動する。これにより、画像処理装置は、省電力モードから通常モードへ復帰する。また、画像処理装置においては、省電力モードから通常モードへ迅速に復帰することが望まれる。
【０００３】
例えば、特許文献１には、制御部が、高速なＲＡＭ（Random Access Memory）に予め記憶されたデータを用いて、省電力モードから通常モードへの復帰処理を行う画像処理装置について示されている。この場合、前記ＲＡＭに記憶されるデータは、省電力モードからの復帰に必要なデータである。このデータは、省電力モードにおいて電力供給が停止される前記制御部が、通常モードでの動作中に、低速なＲＯＭ（Read Only Memory）からコピーするデータである。
【０００４】
また、特許文献２には、省電力モードにおいても電力が供給されるサブＣＰＵが、省電力モードから通常動作モードへの復帰処理を行う画像処理装置について示されている。この場合、前記サブＣＰＵは、省電力モードにおいて電力供給が停止されるメインＣＰＵを起動する前に、プリントエンジンの起動及びモード設定を行う。
【０００５】
また、昨今の画像処理装置は、機能に応じて区分された複数のローカル制御部と、それらローカル制御部を制御するメイン制御部とを備え、状況に応じてそれらローカル制御部及びメイン制御部各々に対する電力供給を個別に停止することにより、消費電力を抑制する。
【０００６】
また、画像処理装置は、ネットワーク又は電話回線などの通信媒体を通じて外部装置と通信を行うため、ネットワークの制御部又は電話回線の制御部など、外部装置との通信用の制御部を備えることが多い。そのような通信用の制御部は、外部装置からのアクセスに備えて、省電力モードの下でも電力の供給及び消費は制限されない。また、前記通信用の制御部は、画像処理装置内において、通常、前記メイン制御部との間でバスにより接続される。このバスは、例えば、ＰＣＩバス（Peripheral Components Interconnect Bus）などのように、それに接続された複数の制御部によって行われる所定の初期化工程を経た上で通信可能となるバスが採用されることが多い。
【０００７】
一方、画像処理装置が、前記復帰イベントの検出に応じて省電力モードから復帰する場合、起動すべき制御部及び起動の手順などの復帰条件は、前記復帰イベントの種類に応じて異なる。例えば、前記復帰イベントが、外部装置からプリント要求を受信したことを示すイベントである場合、プリンタ制御部及びこれを制御するメイン制御部の起動は必要であるが、スキャナ制御部の起動は不要である。また、前記復帰イベントが、原稿台又は自動原稿搬送装置に原稿がセットされたことを示すイベントである場合、前記スキャナ制御部、前記プリンタ制御部及びこれらを制御する前記メイン制御部の起動が必要である。即ち、前記復帰条件は、検知された前記復帰イベントに応じて定まる。
【先行技術文献】
【特許文献】
【０００８】
【特許文献１】特開２００４−１１２７１８号公報
【特許文献２】特開２００９−１３２０５０号公報
【発明の概要】
【発明が解決しようとする課題】
【０００９】
特許文献１又は特許文献２に示されるように、省電力モードにおいて電力が供給されるサブ制御部が、前記メイン制御部及び前記ローカル制御部の初期設定などを含む起動の手順を制御しつつ省電力モードからの復帰処理を行うことは、省電力モードにおける消費電力の増大につながるという問題点があった。この場合、比較的高い処理能力を有するプロセッサが、前記サブ制御部として採用されなければならず、そのようなプロセッサは消費電力が大きいからである。
【００１０】
一方、前記サブ制御部が、前記メイン制御部及び前記ローカル制御部に対して起動開始指令の出力などの簡易な処理のみをおこない、処理能力の高い前記メイン制御部が、前記ローカル制御部の初期設定などを含む前記復帰処理を行うことも考えられる。この場合、前記サブ制御部と先記メイン制御部とが、前記ローカル制御部に対する各々の処理を適切なタイミングで行うための通信を行う必要がある。この通信を含む前記復帰処理の制御プログラムは、前記サブ制御部又は前記メイン制御部が単独で前記復帰処理を行う場合に比べて複雑になる。従って、前記メイン制御部及び前記ローカル制御部が共同で前記ローカル制御部の前記復帰処理を行うことは、前記復帰処理の制御プログラムの複雑化を招くという問題点があった。
【００１１】
本発明は、省電力モードにおける消費電力を極力低く抑えることができ、さらに、省電力モードからの復帰処理の制御プログラムを簡素化できるとともに、速やかな前記復帰処理を可能とする画像処理装置を提供することを目的とする。
【課題を解決するための手段】
【００１２】
上記目的を達成するために、本発明に係る画像処理装置は、以下に示される各構成要素を備える。第１の構成要素は、画像処理のジョブに関する処理を実行し、所定の省電力モードの下において通常動作モードの下におけるよりも電力の消費が制限される１つ又は複数の第１制御部である。この第１制御部は、前記ローカル制御部に相当する。また、第２の構成要素は、前記第１制御部を制御し、前記省電力モードの下において前記通常動作モードの下におけるよりも電力の消費が制限される第２制御部である。この第２の制御部は、前記メイン制御部に相当する。また、第３の構成要素は、前記第２制御部よりも消費電力が小さく、前記省電力モードの下において前記通常動作モードの下におけるよりも電力の消費が制限されない第３制御部である。この第３制御部は、前記サブ制御部に相当する。また、第４の構成要素は、前記第２制御部と前記第３制御部との間に介在し、前記第２制御部及び前記第３制御部により行われる所定の初期化工程を経て、前記第２制御部と前記第３制御部との間のデータ伝送を中継する第１データ伝送部である。また、第５の構成要素は、前記第２制御部と前記第３制御部との間に介在し、前記初期化工程を経ることなく前記第３制御部から前記第２制御部へのデータ伝送を中継する第２データ伝送部である。そして、本発明に係る画像処理装置において、前記第３制御部は、前記省電力モードの下で、前記ジョブに対応した所定の復帰イベントの検出処理を行い、前記復帰イベントが検出されたときに、前記第２制御部を起動して電力消費の制限が解除された状態へ移行させる処理と、前記第１制御部の起動の条件に関する復帰条件情報を生成する処理と、前記第２データ伝送部を用いて前記復帰条件情報を出力する処理とを行う。また、前記第３制御部により起動された前記第２制御部は、前記第２データ伝送部を通じて前記復帰条件情報を取得する処理と、該復帰条件情報に基づいて前記第１制御部を起動して電力消費の制限が解除された状態へ移行させる処理と、起動した前記第１制御部を制御することによる前記ジョブの実行とを行う。なお、前記第１データ伝送部は、例えば、ＰＣＩバスなどである。
【００１３】
また、本発明に係る画像処理装置において、前記第２データ伝送部は、前記第３制御部と前記第２制御部との両方からデータの記録及びデータの参照が可能であり、前記省電力モードの下において前記通常動作モードの下におけるよりも電力の消費が制限されないメモリであることが考えられる。
【００１４】
また、本発明に係る画像処理装置が、前記メモリに加え、外部装置とのデータ通信を制御する通信制御部をさらに備え、その通信制御部が、前記第３制御部を兼ねることが考えられる。
【００１５】
また、前記第２制御部は、前記ジョブの実行の結果に関する結果情報を前記メモリに記録することが考えられる。この場合、前記通信制御部は、前記省電力モードの下で、前記外部装置からの要求に応じて前記メモリに記録された前記結果情報を送信する。
【００１６】
また、本発明に係る画像処理装置において、前記第２データ伝送部は、前記第３制御部から前記第２制御部へデータを伝送する信号伝送ラインであることが考えられる。
【００１７】
また、本発明に係る画像処理装置が、前記信号伝送ラインに加え、外部装置とのデータ通信を制御する通信制御部をさらに備え、その通信制御部が、前記第３制御部を兼ねることが考えられる。
【００１８】
また、本発明に係る画像処理装置が、前記第２制御部と前記第３制御部との間に介在し、前記初期化工程を経ることなく前記第２制御部から前記第３制御部へのデータ伝送を中継する第３データ伝送部をさらに備えることが考えられる。この場合、前記第３制御部は、前記ジョブの実行の結果に関する結果情報を前記第３データ伝送部を通じて前記結果情報を取得し、前記省電力モードの下で、前記外部装置からの要求に応じて前記結果情報を送信する。
【発明の効果】
【００１９】
本発明において、省電力モードの下で電力供給が特に制限されない前記第３制御部は、省電力モードからの復帰処理において、前記復帰イベントの検出と、前記第２制御部の起動と、前記復帰条件情報の生成及び出力とのみを行う。即ち、前記第３制御部は、前記第１制御部の初期設定などを含む比較的煩雑な処理を行う必要がない。そのため、前記第３制御部は、比較的処理能力が低く、消費電力の小さなプロセッサを用いて実現可能である。そのため、本発明は、省電力モードにおける画像処理装置の消費電力を極力低く抑えることができる。
【００２０】
また、本発明において、前記第３制御部により起動された前記第２制御部は、前記第３制御部から取得した前記復帰条件情報に基づく前記第１制御部の起動を単独で行う。即ち、前記復帰処理において、前記第３制御部と前記第２制御部とが、前記第１制御部に対する複数の処理を適切なタイミングで行うための通信を行う必要がない。従って、本発明によれば、省電力モードからの復帰処理の制御プログラムを簡素化できる。
【００２１】
また、本発明において、前記第３制御部から前記第２制御部への前記復帰条件情報の引き渡しは、初期化工程の不要な前記第２データ伝送部を通じて行われる。これにより、ジョブの実行のために前記第１データ伝送部を用いる必要がない場合、前記第１データ伝送部の前記初期化工程を行うことなく省電力モードからの復帰処理及びジョブの実行が可能となる。従って、本発明によれば、前記復帰イベントが検知された後、省電力モードからの復帰処理及びジョブが速やかに実行される。
【図面の簡単な説明】
【００２２】
【図１】本発明の第１実施形態に係る画像処理装置１のブロック図。
【図２】画像処理装置１が省電力モードから復帰し、再び省電力モードへ戻るまでの  の手順を表すフローチャート。
【図３】本発明の第２実施形態に係る画像処理装置２のブロック図。
【図４】画像処理装置２が省電力モードから復帰し、再び省電力モードへ戻るまでの  の手順を表すフローチャート。
【図５】本発明の第３実施形態に係る画像処理装置３のブロック図。
【発明を実施するための形態】
【００２３】
以下添付図面を参照しながら、本発明の実施の形態について説明する。なお、以下の実施の形態は、本発明を具体化した一例であって、本発明の技術的範囲を限定するものではない。
【００２４】
＜第１実施形態＞
まず、図１に示されるブロック図を参照しつつ、本発明の第１施形態に係る画像処理装置１について説明する。画像処理装置１は、プリンタ、スキャナ、複写機及びファクシミリ装置として機能する複合機である。図１に示されるように、画像処理装置１は、ＭＭＩ（Man Machine Interface）基板１０、メイン基板２０、スキャナユニット３０、プリンタユニット４０、ＮＣＵ(Network Control Unit)基板５０、ＬＡＮ（Local Area Network）インターフェース基板６０、第１電源７０、第２電源８０及び制御スイッチ７１〜７３を備えている。なお、前記制御スイッチ７１〜７３は、例えば、前記メイン基板２０に実装される。或いは、前記制御スイッチ７１〜７３の各々が、前記ＭＭＩ基板１０、前記スキャナユニット３０が備えるスキャナ制御部３１及び前記スキャナユニット３０が備えるプリンタ制御部４１の各々に実装されることも考えられる。
【００２５】
また、前記メイン基板２０、前記ＮＣＵ基板５０及び前記ＬＡＮインターフェース基板６０は、第１のバス１０１に接続されている。これにより、前記メイン基板２０が備えるメインＣＰＵ（Central Processing Unit）２１、前記ＮＣＵ基板５０が備える不図示の制御部及び前記ＬＡＮインターフェース基板６０が備えるサブＣＰＵ６１は、前記第１のバス１０１を通じて、相互にデータの通信が可能である。但し、前記第１のバス１０１は、それに接続される前記メインＣＰＵ２１及び前記サブＣＰＵ６１などにより行われる所定の初期化工程を経て、前記メインＣＰＵ２１と前記サブＣＰＵ６１との間のデータ伝送を中継することが可能になるデータバスである。前記第１のバス１０１の典型例は、汎用のＰＣＩバスである。なお、前記第１のバス１０１は、前記第１データ伝送部の一例である。
【００２６】
前記第１のバス１０１に接続される基板は、前記メイン基板２０の他は、前記画像処理装置１の用途に応じて装着されたり装着されなかったりするオプション基板である。前記第１のバス１０１に接続される可能性のあるオプション基板は、前記ＮＣＵ基板５０及び前記ＬＡＮインターフェース基板６０の他、ＵＳＢ（Universal Serial Bus）インターフェース基板及びＰＤＬ（Page Description Language）制御基板などが考えられる。前記ＵＳＢインターフェース基板は、前記メインＣＰＵ２１によってアクセスされる外部記憶装置が着脱される基板である。また、前記ＰＤＬ制御基板は、外部装置から前記ＬＡＮインターフェース基板６０を通じて受信されるＰＤＬデータを画像データに変換する処理を行う基板である。
【００２７】
また、前記ＭＭＩ基板１０、前記メイン基板２０、前記スキャナユニット３０が備えるスキャナ制御部３１及び前記プリンタユニット４０が備えるプリンタ制御部４１は、第２のバス１０２に接続されている。これにより、前記ＭＭＩ基板１０が備えるＭＭＩ制御部１４、前記メインＣＰＵ２１、前記スキャナユニット３０が備えるスキャナ制御部３１及び前記プリンタユニット４０が備えるプリンタ制御部４１は、前記第２のバス１０２を通じて、相互にデータ通信が可能である。前記第２のバス１０２は、前記初期化工程を伴わずに、前記メインＣＰＵ２１及び各制御部１４，３１，４１相互間のデータ伝送を中継することが可能なデータバスである。前記第２のバス１０２は、内部バスなどと称される。
【００２８】
前記ＭＭＩ基板１０は、キーマトリクス１１、パネルディスプレイ１２、発光ダイオード（ＬＥＤ）１３、ＭＭＩ制御部１４及び節電キー１８などが実装された電子基板である。前記キーマトリクス１１は、人に操作される部品であり、複数の信号出力ライン各々に対し、複数の操作キーが電気的に接続された回路を備えている。前記ＭＭＩ制御部１４は、前記キーマトリクス１１に対してキーマトリクススキャンを行う。キーマトリクススキャンは、前記キーマトリクス１１における前記信号出力ライン各々に対して信号を周期的に出力しつつ、信号出力ラインごとの操作キーのＯＮ／ＯＦＦ状態を検出する処理である。前記キーマトリクススキャンにより、前記ＭＭＩ制御部１４は、操作キーに対する操作の状況を検知する。
【００２９】
また、前記ＭＭＩ制御部１４は、前記キーマトリクス１１に対する操作に対応した表示情報の映像信号生成し、その映像信号を前記パネルディスプレイ１２に出力する。前記表示情報は、例えば、キー操作により選択された機能の情報、キー操作により入力された文字の情報及びキー操作により要求されたガイダンス情報等である。これにより、前記パネルディスプレイ１２は、画像及び文字列を含む情報を表示する。前記パネルディスプレイ１２は、例えば、液晶パネル及びバックライトからなる液晶ディスプレイ、又は有機エレクトロルミネッセンスのディスプレイである。
【００３０】
また、前記ＭＭＩ基板１０に実装された前記発光ダイオード１３は、前記ＭＭＩ基板１０の動作の状態を、その点灯の状態によって通知する発光部品である。また、前記節電キー１８は、人の操作によってＯＮとＯＦＦとが切り替わる操作スイッチである。この節電キー１８の状態（ＯＮ又はＯＦＦ）は、前記メイン基板２０に実装された前記メインＣＰＵ２１及び前記ＬＡＮインターフェース基板６０に実装された前記サブＣＰＵ６１の各々によって検知される。
【００３１】
前記スキャナユニット３０は、前記スキャナ制御部３１、ＣＣＤ(Charge Coupled Device)ラインセンサ３２及びその他の各種のセンサを備えている。そのセンサは、例えば、原稿センサ３３及び原稿カバーセンサ３４などである。前記ＣＣＤラインセンサ３２は、原稿に対して走査された光の反射光を受光することにより、その原稿の画像を１ライン分ずつ読み取るイメージセンサである。前記原稿センサ３３は、自動原稿搬送装置（ＡＤＦ）に原稿がセットされたことを検出するセンサである。また、前記原稿カバーセンサ３４は、原稿台を開閉可能に設けられた原稿カバーが、原稿台を覆う閉状態であるか、原稿台を解放する開状態であるかを検出するセンサである。
【００３２】
前記スキャナユニット３０は、さらに、不図示の駆動機構を備えている。この駆動機構は、原稿に対して画像読み取り用の光を所定の副走査方向へ走査する機構である。前記スキャナ制御部３１は、前記駆動機構を制御することにより、原稿における画像の読み取り位置を制御する。前記ＣＣＤラインセンサ３２により得られる画像データは、前記メイン基板２０へ伝送される。また、前記スキャナ制御部３１は、前記原稿センサ３３及び前記原稿カバーセンサ３４の検出結果に基づいて、前記ＣＣＤラインセンサ３２の走査の開始や停止を制御する。
【００３３】
また、前記スキャナ制御部３１は、前記原稿センサ３３及び前記原稿カバーセンサ３４の検出結果に基づいて、画像のスキャン処理の中断、エラーメッセージの通知などの制御も行う。なお、エラーメッセージの通知は、前記メイン基板２０及び前記ＭＭＩ基板１０を介して行われる。また、前記原稿センサ３３の検出信号及び前記原稿カバーセンサ３４の検出信号は、前記ＬＡＮインターフェース基板６０における前記サブＣＰＵ６１にも入力される。
【００３４】
前記プリンタユニット４０は、不図示の画像転写装置、プリンタ制御部４１、及び各種のセンサを備えている。そのセンサは、例えば、搬送路カバーセンサ４２，カセットセンサ４３及びジャムセンサ４４などである。前記画像転写装置は、カセットに収容されたシート材を搬送するローラ、そのシート材にトナー画像を転写する画像転写部、シート材にトナー画像を溶着させる定着装置等を備えている。前記プリンタ制御部４１は、前記画像転写装置を制御するプリンタ制御回路が実装された電子基板である。
【００３５】
前記搬送路カバーセンサ４２は、シート材の搬送路のカバーの開閉状態を検出するセンサである。また、前記カセットセンサ４３は、シート材が収容されるカセットが正常にセットされているか否かを検出するセンサである。また、前記ジャムセンサ４４は、シート材の詰まりを検出するセンサである。そして、前記プリンタ制御部４１は、前記搬送路カバーセンサ４２、前記カセットセンサ４３及び前記ジャムセンサ４４の検出結果に基づいて、プリント処理の中断、エラーメッセージの通知等の制御も行う。なお、エラーメッセージの通知は、前記メイン基板２０及び前記ＭＭＩ基板１０を介して行われる。また、前記カセットセンサ４３の検出信号は、前記ＬＡＮインターフェース基板６０における前記サブＣＰＵ６１にも入力される。
【００３６】
前記メイン基板２０は、前記メインＣＰＵ２１、ＲＯＭ２２、ＳＲＡＭ(Static Random Access Memory)２３、コーデック２４及びモデム２５などの部品が実装された電子基板である。前記メインＣＰＵ２１は、前記ＲＯＭ２２に記録された制御プログラムを実行することにより、当該画像処理装置１の動作を制御する。前記ＳＲＡＭ２３は、前記メインＣＰＵ２１により更新及び参照されるデータを記憶する。
【００３７】
前記コーデック２４は、前記スキャナユニット３０、前記モデム２５及び前記ＬＡＮインターフェース基板６０の各々により得られる画像データを圧縮して前記ＳＲＡＭ２５に記録する処理、及び圧縮された画像データを伸張する処理を行う。
【００３８】
前記モデム２５は、前記ＮＣＵ基板５０を通じて外部のファクシミリ装置へ送信するデータの送信信号を変調する処理及び前記ＮＣＵ基板５０により得られる受信信号を復調する処理を行う。
【００３９】
前記ＮＣＵ基板５０は、電話回線１２１に接続され、外部のファクシミリ装置との間でやりとりされる発呼信号及びコマンドを送信及び受信することにより、発信及び着信の制御及びダイヤル制御を行う。前記メインＣＰＵ２１は、外部のファクシミリ装置との間で、前記ＮＣＵ基板５０及び前記モデム２５を通じて、画像データの送信及び受信を行う。
【００４０】
前記ＬＡＮインターフェース基板６０は、ＬＡＮなどのネットワーク１２２に接続され、外部の計算機との間で前記ネットワーク１２２を介したデータ通信を制御する電子基板である。その制御を行うサブＣＰＵ６１が、前記ＬＡＮインターフェース基板６０に実装されている。前記ＬＡＮインターフェース基板６０は、一般にＮＩＣ(Network Interface Card)と称される。前記メインＣＰＵ２１は、外部の計算機との間で、前記サブＣＰＵ６１及び前記ネットワーク１２２を通じて、画像データの送信及び受信を行う。
【００４１】
以上に示したように、前記画像処理装置１は、機能に応じて区分された複数の電子基板１０、２０、３１、４１、５０、６０を備えている。また、前記ＭＭＩ制御部１４、前記スキャナ制御部３１及び前記プリンタ制御部４１は、画像処理のジョブに関する具体的な処理を実行する。以下、これらをローカル制御部１４，３１，４１と称する。また、前記メイン基板２０は、前記ローカル制御部１４，３１，４１を制御する。
【００４２】
また、前記サブＣＰＵ６１が前記メインＣＰＵ２１の動作モードを制御し、前記メインＣＰＵ２１が、状況に応じて前記ローカル制御部１４，３１，４１各々に対する電力供給を個別に制御する省電力制御が行われる。前記省電力制御により、前記画像処理装置１の動作モードは、選択的に通常動作モードと省電力モードとに切り替わる。前記通常動作モードは、前記画像処理装置１が、定格電力以下の範囲で標準的な電力を消費する動作モードである。一方、前記省電力モードは、前記画像処理装置１の電力の消費量が、前記通常動作モードの下での電力の消費量よりも小さく制限される動作モードである。前記画像処理装置１は、前記通常動作モードの下では、予め定められた画像処理に関するジョブを制限なく実行可能である。しかしながら、前記画像処理装置１は、前記省電力モードの下では、予め定められた画像処理に関するジョブの一部又は全部について、その実行が制限される。
【００４３】
前記省電力制御において、前記メインＣＰＵ２１は、前記制御スイッチ７１の制御によって前記ＭＭＩ基板１０に対する電力供給のＯＮ／ＯＦＦを切り替える。同様に、前記メインＣＰＵ２１は、前記制御スイッチ７２及び前記制御スイッチ７３各々の制御により、前記スキャナ制御部３１及び前記プリンタ制御部４１各々に対する電力供給のＯＮ／ＯＦＦを切り替える。前記制御スイッチ７１〜７３がＯＦＦにされることにより、前記ＭＭＩ基板１０、前記スキャナ制御部３１及び前記プリンタ制御部４１それぞれの電力の消費が制限される。
【００４４】
また、前記省電力制御において、前記サブＣＰＵ６１は、活動状態の前記メインＣＰＵ２１に対して休止信号を出力することにより、前記メインＣＰＵ２１を活動状態から休止状態へ移行させる。また、前記サブＣＰＵ６１は、休止状態の前記メインＣＰＵ２１に対して起動信号を出力することにより、前記メインＣＰＵ２１を休止状態から活動状態へ移行させる。前記活動状態である前記メインＣＰＵ２１は、前記休止信号が入力されると、自動的に前記活動状態から前記休止状態へ移行する。また、前記休止状態である前記メインＣＰＵ２１は、前記起動信号が入力されると、自動的に前記休止状態から前記活動状態へ移行する。
【００４５】
前記活動状態は、前記メインＣＰＵ２１がその演算能力の全てを発揮できる状態である。一方、前記休止状態は、前記メインＣＰＵ２１が、外部からの前記起動信号の入力に応じて前記活動状態へ復帰することができるが、その他の演算はできない状態である。前記メインＣＰＵ２１の消費電力は、前記休止状態において最も小さく制限され、前記活動状態においては、定格電力の範囲内において特に制限されない。
【００４６】
前記通常動作モードは、前記メインＣＰＵ２１が前記活動状態であり、かつ、前記ローカル制御部１４，３１，４１の全てに対して電力が供給されている状態である。また、前記省電力モードは、少なくとも前記メインＣＰＵ２１が前記休止状態である状態である。また、外部装置との通信用の制御部である前記ＮＣＵ基板５０及びＬＡＮインターフェース基板６０は、前記通常動作モードの下、及び前記省電力モードの下のいずれにおいても電力の供給は停止されず、定格電力の範囲内において電力の消費は制限されない。
【００４７】
以上に示したように、画像処理のジョブに関する処理を実行する前記ローカル制御部１４，３１，４１は、前記省電力モードの下において、前記通常動作モードの下におけるよりも電力の消費が制限される。また、前記ローカル制御部１４，３１，４１を制御する前記メインＣＰＵ２１は、前記省電力モードの下において前記通常動作モードの下におけるよりも電力の消費が制限される。また、外部装置との通信を制御する前記サブＣＰＵ６１は、前記省電力モードの下において前記通常動作モードの下におけるよりも電力の消費が制限されない。また、前記サブＣＰＵ６１は、前記メインＣＰＵ２１と比較して、処理能力は低く、消費電力は小さい。なお、前記ローカル制御部１４，３１，４１、前記メインＣＰＵ２１及び前記サブＣＰＵ６１は、それぞれ前記第１制御部、前記第２制御部及び第３制御部の一例である。
【００４８】
また、前記画像処理装置１は、前記メインＣＰＵ２１と前記サブＣＰＵ６１との間に介在する第１信号伝送ライン１１１、第２信号伝送ライン１１２及び第３信号伝送ライン１１３を備えている。前記第１信号伝送ライン１１１、前記第２信号伝送ライン１１２及び前記第３信号伝送ライン１１３は、いずれも特別な初期化工程を経ることなく信号（データ）の伝送が可能なデータ伝送媒体である。
【００４９】
前記第１信号伝送ライン１１１は、前記サブＣＰＵ６１の信号出力ポートと前記メインＣＰＵ２１の起動信号入力ポートとに接続され、前記起動信号を前記サブＣＰＵ６１から前記メインＣＰＵ２１へ伝送する。
【００５０】
前記第２信号伝送ライン１１２は、前記サブＣＰＵ６１のデータ出力ポートと前記メインＣＰＵ２１のデータ入力ポートとに接続され、データを前記サブＣＰＵ６１から前記メインＣＰＵ２１へ伝送する。この第２信号伝送ライン１１２により伝送されるデータは、後述する復帰条件情報を含む。なお、前記第２信号伝送ライン１１２は、前記第２データ伝送部の一例である。
【００５１】
前記第３信号伝送ライン１１３は、前記メインＣＰＵ２１のデータ出力ポートと前記サブＣＰＵ６１のデータ入力ポートとに接続され、データを前記メインＣＰＵ２１から前記サブＣＰＵ６１へ伝送する。
【００５２】
例えば、前記メインＣＰＵ２１は、前記キーマトリクス１１及び前記節電キー１８に対する操作が、第１の待ち時間（ｔ１）以上継続して検知されない場合に、前記省電力モードへ移行する制御を実行する。より具体的には、前記メインＣＰＵ２１は、前記ＭＭＩ制御部１４、前記スキャナ制御部３１及び前記プリンタ制御部４１に対して休止指令を出力する。さらに、前記メインＣＰＵ２１は、前記ＭＭＩ基板１０、前記スキャナ制御部３１及び前記プリンタ制御部４１に対する電力供給を停止する。その後、前記メインＣＰＵ２１は、前記活動状態から前記休止状態へ移行する。また、前記メインＣＰＵ２１は、前記節電キー１８が予め定められた時間以上継続して押し続けられた場合にも、前記省電力モードへ移行する制御を実行する。
【００５３】
また、前記メインＣＰＵ２１は、前記スキャナユニット３０が動作しない時間が、第２の待ち時間（ｔ２）以上継続した場合に、前記スキャナ制御部３１に対する電力供給を停止する。同様に、前記メインＣＰＵ２１は、前記プリンタユニット４０が動作しない時間が、第３の待ち時間（ｔ３）以上継続した場合に、前記プリンタ制御部４１に対する電力供給を停止する。前記ＭＭＩ基板１０、前記スキャナ制御部３１及び前記プリンタ制御部４１の各々に対して予め設定された前記第１の待ち時間（ｔ１）、前記第２の待ち時間（ｔ２）及び前記第３の待ち時間（ｔ３）は、前記ＳＲＡＭ２３に予め記憶される。
【００５４】
また、画像処理装置１は、商用電源に接続されている状況下で、常に電力の供給を続ける前記第１電源７０と、前記サブＣＰＵ６１の制御により、電力の出力を停止可能な第２電源８０と備えている。前記ＮＣＵ基板５０及び前記ＬＡＮインターフェース基板６０は、前記第１電源７０から電力が供給される。一方、前記メイン基板２０、前記ＭＭＩ制御部１４、前記スキャナ制御部３１及び前記プリンタ制御部４１は、前記第２電源８０から電力が供給される。なお、図１において、矢印付きの波線は、電力供給ラインを表す。
【００５５】
また、前記サブＣＰＵ６１は、前記第２電源８０の出力が不要である場合に、前記第２電源８０の電力の出力を停止する。これにより、前記第２電源８０の待機中の消費電力を抑制できる。前記第２電源８０の出力が不要である場合とは、前記制御スイッチ７１〜７３により、前記ＭＭＩ基板１０、前記スキャナ制御部３１及び前記プリンタ制御部４１への電力供給が停止されており、前記メインＣＰＵ２１が前記休止状態である場合である。
【００５６】
なお、前記サブＣＰＵ６１が、前記第２電源８０を制御することによって前記メイン基板２０への電力供給を行うか否かを切り替えることにより、前記メインＣＰＵ２１の電力消費が制限される状態とそうでない状態とを切り替えることも考えられる。
【００５７】
次に、図２に示されるフローチャートを参照しつつ、前記画像処理装置１が前記省電力モードから復帰し、再び前記省電力モードへ戻るまでの手順について説明する。以下の説明において、Ｓ１１，Ｓ１２，…，Ｓ２７は、処理の手順の識別符号を表す。また、図２に示される処理は、前記画像処理装置１が前記省電力モードであるときに実行される。
【００５８】
前記サブＣＰＵ６１は、前記省電力モードの下で、画像処理のジョブに対応した復帰イベントの検出処理を行う（Ｓ１１）。前記復帰イベントは、例えば、所定の操作部が操作されたこと、自動原稿搬送装置に原稿がセットされたこと、原稿カバーを開く又は閉じる操作が行われたこと、シート材が収容されるカセットがセットされたこと、などのイベントである。これらのイベントは、前記節電キー１８（操作部）、前記原稿センサ３３、前記原稿カバーセンサ３４及び前記カセットセンサ４３の状態変化を監視することにより検出される。また、外部装置から前記ジョブの実行を要求されたことも前記復帰イベントの一つである。このイベントは、例えば、電話回線を通じてファクシミリ受信のジョブが要求されたこと、及び外部装置からプリントジョブが要求されたこと、などである。
【００５９】
そして、前記サブＣＰＵ６１は、前記省電力モードの下で、前記復帰イベントが検出されたときに、以下に示すステップＳ１２，Ｓ１３の処理を実行する。まず、ステップＳ１２において、前記サブＣＰＵ６１は、前記復帰イベントの内容に応じて、前記ローカル制御部１４，３１，４１の起動の条件に関する復帰条件情報を生成する。さらに、ステップＳ１２において、前記サブＣＰＵ６１は、前記第２信号伝送ライン１１２を用いて、前記復帰条件情報を出力する。
【００６０】
前記復帰条件情報は、起動すべき前記ローカル制御部１４，３１，４１及び起動の手順などを表す情報であり、前記復帰イベントの種類に応じて予め定められた情報である。前記復帰イベントと前記復帰条件情報との対応関係に関する情報は、前記ＬＡＮインターフェース基板６０が備える不揮発メモリに予め記憶されている。また、前記サブＣＰＵ６１が、所定のプログラムを実行することにより、そのプログラムにより規定された所定の規則に従って、前記復帰イベントの種類に応じた前記復帰条件情報を生成することも考えられる。
【００６１】
例えば、前記復帰イベントが、外部装置からのプリントジョブの要求である場合、前記復帰条件情報は、前記ローカル制御部１４，３１，４１の中で前記プリンタ制御部４１のみを起動すべき旨の情報を含む。また、前記復帰イベントが、原稿台又は自動原稿搬送装置に原稿がセットされたことを示すイベントである場合、前記復帰条件情報は、まず前記プリンタ制御部４１、次に前記ＭＭＩ制御部１４、その次に前記スキャナ制御部３１を起動すべき旨の情報を含む。また、前記復帰イベントが、前記節電キー１８が操作されたことである場合、前記復帰条件情報は、前記ローカル制御部１４，３１，４１の中で前記ＭＭＩ制御部１４のみを起動すべき旨の情報を含む。
【００６２】
さらに、前記サブＣＰＵ６１は、前記第１信号伝送ライン１１１を通じて前記起動信号を出力することにより、前記メインＣＰＵ２１を、電力消費の制限が解除された前記活動状態へ移行させる（Ｓ１３）。前記起動信号の出力に応じて、前記メインＣＰＵ２１は起動する（Ｓ２１）。これにより、前記メインＣＰＵ２１の動作状態は、前記休止状態から前記活動状態へ移行する。なお、前記第２電源８０の出力が停止されている場合、前記サブＣＰＵ６１は、前記第２電源８０の出力の停止を解除することによって前記メインＣＰＵ２１を前記休止状態に移行させた上で、前記起動信号を出力する。
【００６３】
一方、前記サブＣＰＵ６１によって起動された前記メインＣＰＵ２１は、前記第２信号伝送ライン１１２を通じて前記復帰条件情報を取得する（Ｓ２２）。さらに、前記メインＣＰＵ２１は、前記復帰条件情報に従って、必要な前記ローカル制御部１４，３１，４１を起動し、電力消費の制限が解除された状態へ移行させる（Ｓ２３）。その際、前記メインＣＰＵ２１は、前記制御スイッチ７１〜７３の制御によって前記ローカル制御部１４，３１，４１のうち必要なものへの電力供給を開始させる。さらに、前記メインＣＰＵ２１は、通電が開始された前記ローカル制御部１４，３１，４１に対して所定の初期化設定を行う。これにより、起動した前記ローカル制御部１４，３１，４１は、制御対象の部品の状態をジョブの実行が可能な状態へ移行させる。
【００６４】
続いて、前記メインＣＰＵ２１は、起動した前記ローカル制御部１４，３１，４１を制御することにより、前記復帰イベントに対応したジョブを実行する（Ｓ２４）。なお、前記メインＣＰＵ２１は、前記復帰イベントに対応したジョブが一意に特定できない場合、その後の前記キーマトリクス１１に対する操作内容に応じてジョブを特定し、そのジョブを実行する。
【００６５】
そして、ジョブの実行が終了すると、前記メインＣＰＵ２１は、ステップＳ２３で起動した前記ローカル制御部１４，３１，４１を休止させる（Ｓ２５）。その際、前記メインＣＰＵ２１は、ステップＳ２３で起動した前記ローカル制御部１４，３１，４１に対して所定の休止処理を行う。さらに、前記メインＣＰＵ２１は、前記制御スイッチ７１〜７３の制御によって前記ローカル制御部１４，３１，４１への電力供給を停止する。
【００６６】
また、ジョブの実行が終了すると、前記メインＣＰＵ２１は、ジョブの実行の結果に関する結果情報を前記第３信号伝送ライン１１３を通じて前記サブＣＰＵ６１へ出力する（Ｓ２６）。前記結果情報は、例えば、ジョブが正常終了したか異常終了したかを表す情報及びジョブが異常終了した場合におけるエラー情報が含まれる。前記エラー情報は、例えば、前記ジャムセンサ４４によって検出されたシート材の詰まり、前記ＣＣＤラインセンサ３２における光源の異常などを表す情報である。
【００６７】
そして、前記ローカル制御部１４，３１，４１の休止（Ｓ２５）及び前記結果情報の出力（Ｓ２６）の終了後、前記メインＣＰＵ２１は、前記活動状態から前記休止状態へ移行する（Ｓ２７）。
【００６８】
一方、前記復帰条件情報の出力（Ｓ１２）及び前記メインＣＰＵ２１の起動（Ｓ１３）の後、前記サブＣＰＵ６１は、前記メインＣＰＵ２１から前記第３信号伝送ライン１１３を通じて前記結果情報を取得する（Ｓ１４）。さらに、前記サブＣＰＵ６１は、その結果情報を前記ＬＡＮインターフェース基板６０が備えるメモリに記録する（Ｓ１４）。その後、前記メインＣＰＵ２１は、処理をステップＳ１１へ戻す。
【００６９】
ところで、前記サブＣＰＵ６１は、前記省電力モードの下で、外部装置からの前記ネットワーク１２２を通じた要求に応じて、前記メインＣＰＵ２１から取得した前記結果情報を前記外部装置へ送信するステータス応答処理を実行する。前記結果情報を要求する外部装置は、例えば、前記画像処理装置１の運転履歴を管理するサーバ計算機などである。
【００７０】
前記画像処理装置１において、前記省電力モードの下で電力供給が特に制限されない前記サブＣＰＵ６１は、前記省電力モードからの復帰処理において、前記復帰イベントの検出（Ｓ１１）と、前記復帰条件情報の生成及び出力（Ｓ１２）と、前記メインＣＰＵ２１の起動（Ｓ１３）とのみを行う。即ち、前記サブＣＰＵ６１は、前記ローカル制御部１４，３１，４１の初期設定などを含む比較的煩雑な処理を行う必要がない。そのため、前記サブＣＰＵ６１は、前記ネットワーク１２２による通信の制御以外の処理能力について、小さな余力を有するだけでよい。そのため、前記サブＣＰＵ６１の機能は、比較的処理能力が低く、消費電力の小さなプロセッサによって実現可能である。そのため、前記画像処理装置１は、前記省電力モードにおける消費電力を極力低く抑えることができる。
【００７１】
また、前記画像処理装置１において、前記サブＣＰＵ６１により起動された前記メインＣＰＵ２１は、前記復帰条件情報に基づく前記ローカル制御部１４，３１，４１の起動を単独で行う。従って、前記画像処理装置１においては、前記省電力モードからの復帰処理の制御プログラムが簡素化される。
【００７２】
また、前記画像処理装置１において、前記サブＣＰＵ６１から前記メインＣＰＵ２１への前記復帰条件情報の引き渡しは、初期化工程の不要な前記第２信号伝送ライン１１２を通じて行われる。これにより、ジョブの実行のために前記第１のバス１０１を用いる必要がない場合、前記第１のバス１０１の初期化工程を経ることなく前記省電力モードからの復帰処理及びジョブの実行が可能となる。従って、前記画像処理装置１においては、前記復帰イベントが検知された後、前記省電力モードからの復帰処理及びジョブが速やかに実行される。
【００７３】
さらに、前記画像処理装置１において、前記メインＣＰＵ２１から前記サブＣＰＵ６１への前記結果情報の引き渡しは、初期化工程の不要な前記第３信号伝送ライン１１３を通じて行われる。これにより、ジョブの実行のために前記第１のバス１０１を用いる必要がない場合、前記第１のバス１０１の初期化工程を経ることなく、前記省電力モードからの復帰処理、ジョブの実行及び前記省電力モードへの再移行までの処理が速やかに実行される。
【００７４】
但し、ジョブの実行のために前記第１のバス１０１を用いる必要がある場合には、前記メインＣＰＵ２１、前記サブＣＰＵ６１及び前記ＮＣＵ基板５０の制御部は、ステップＳ２３において前記初期化工程を実行する。これにより、前記メインＣＰＵ２１、前記サブＣＰＵ６１及び前記ＮＣＵ基板５０の制御部は、前記第１のバス１０１を通じてデータ通信を行うことが可能となる。
【００７５】
＜第２実施形態＞
次に、図３に示されるブロック図及び図４に示されるフローチャートを参照しつつ、本発明の第２実施形態に係る画像処理装置２について説明する。この画像処理装置２は、図１に示された画像処理装置１と比較して、一部の構成要素が変更された構成を有している。図３において、図１に示される構成要素と同じ構成要素は、同じ参照符号が付されている。以下、前記画像処理装置２における前記画像処理装置１と異なる点についてのみ説明する。
【００７６】
前記画像処理装置２は、前記第２信号伝送ライン１１２及び前記第３データ伝送ライン１１３が、デュアルポートＲＡＭ６２及びそのデュアルポートＲＡＭ６２に対するアクセス用の信号線１１４，１１５に置き換わっている点において、前記画像処理装置１と異なる。前記サブＣＰＵ６１と前記デュアルポートＲＡＭ６２とは、データ伝送用の信号線１１５によって接続されている。また、前記メインＣＰＵ２１と前記デュアルポートＲＡＭ６２とは、データ伝送用の信号線１１４によって接続されている。
【００７７】
前記デュアルポートＲＡＭ６２は、前記サブＣＰＵ６１と前記メインＣＰＵ２１との両方からデータの記録及びデータの参照が可能なメモリである。また、前記デュアルポートＲＡＭ６２は、前記省電力モードの下において、前記通常動作モードの下におけるよりも電力の消費は制限されない。前記デュアルポートＲＡＭ６２は、例えば、前記ＬＡＮインターフェース基板６０に実装される。なお、前記デュアルポートＲＡＭ６２は、前記サブＣＰＵ６１と前記メインＣＰＵ２１との両方からデータの記録及びデータの参照が可能なメモリの一例である。前記デュアルポートＲＡＭ６２の代わりに、一般にＩ２Ｃ（アイ・スクウェア・シー）と称されるInter Integrated Circuitインターフェースに対応したＥＥＰＲＯＭなどが採用されてもよい。
【００７８】
図４は、前記画像処理装置２が前記省電力モードから復帰し、再び前記省電力モードへ戻るまでの手順を表すフローチャートである。以下、図４及び図２のフローチャートの異なる点についてのみ説明する。
【００７９】
前記画像処理装置２においては、前記サブＣＰＵ６１は、ステップＳ１３において、前記復帰イベントの内容に応じた前記復帰条件情報を生成するとともに、その復帰条件情報を、前記デュアルポートＲＡＭ６２に記録する。一方、ステップＳ２２において、起動した前記メインＣＰＵ２１は、前記デュアルポートＲＡＭ６２から前記復帰条件情報を取得する。
【００８０】
また、前記画像処理装置２においては、前記メインＣＰＵ２１は、ステップＳ２６において、ジョブの前記結果情報を前記デュアルポートＲＡＭ６２に記録する。従って、前記サブＣＰＵ６１は、前記メインＣＰＵ２１による前記結果情報の記録（出力）に同期してその結果情報を取得するステップＳ１４の処理は行わない。
【００８１】
そして、前記画像処理装置２において、前記サブＣＰＵ６１は、前記省電力モードの下で、前記デュアルポートＲＡＭ６２に記録された前記結果情報を取得して前記ステータス応答処理を実行する。このステータス応答処理において外部装置に送信される前記結果情報は、前記メインＣＰＵ２１がステップＳ２６において記録した前記結果情報である。
【００８２】
前記画像処理装置２においても、前記画像処理装置１によって得られる効果と同様の効果が得られる。
【００８３】
＜第３実施形態＞
次に、図５に示されるブロック図を参照しつつ、本発明の第３実施形態に係る画像処理装置３について説明する。この画像処理装置３は、図１に示された画像処理装置１と比較して、一部の構成要素が変更された構成を有している。図５において、図１に示される構成要素と同じ構成要素は、同じ参照符号が付されている。以下、前記画像処理装置３における前記画像処理装置１と異なる点についてのみ説明する。
【００８４】
前記画像処理装置３は、前記第２のバス１０２を備えていない。その代わりに、前記画像処理装置３においては、前記メイン基板２０、前記ＮＣＵ基板５０、前記ＬＡＮインターフェース基板６０及び前記ローカル制御部１４，３１，４１は、前記第１のバス１０１に接続されている。前記画像処理装置３においても、図１に示された処理と同様の処理が実行される。
【００８５】
但し、前記画像処理装置３は、ステップＳ２３において、必要に応じて前記第１のバス１０１の前記初期化工程を実行する。例えば、前記復帰イベントが、前記節電キー１８の操作である場合、前記メインＣＰＵ２１と前記ＭＭＩ制御部１４とが、前記第１のバス１０１の前記初期化工程を実行する。また、前記復帰イベントが、自動原稿搬送装置に原稿がセットされたことであり、その後、前記キーマトリクス１１に対して原稿画像読み取りの操作がなされた場合、原稿画像を読み取るジョブを実行する必要がある。この場合、前記メインＣＰＵ２１と前記ＭＭＩ制御部と前記スキャナ制御部とが、前記第１のバス１０１の前記初期化工程を実行する。このように、前記画像処理装置３は、前記画像処理装置１及び前記画像処理装置２と比較して、前記省電力モードからの復帰処理において、前記第１のバス１０１の前記初期化工程が実行される頻度が高くなる。
【００８６】
しかしながら、前記画像処理装置３においても、前記サブＣＰＵ６１から前記メインＣＰＵ２１への前記復帰条件情報の引き渡し（Ｓ１３，Ｓ２２）のために、前記第１のバス１０１の初期化工程の実行を要しない。そのため、前記メインＣＰＵ２１は、前記ローカル制御部１４，３１，４１の起動（Ｓ２３）を速やかに開始できる。
【００８７】
また、前記画像処理装置３においても、前記サブＣＰＵ６１の機能は、比較的処理能力が低く、消費電力の小さなプロセッサによって実現可能である。そのため、前記画像処理装置３も、前記省電力モードにおける消費電力を極力低く抑えることができる。また、前記画像処理装置３においても、前記画像処理装置１と同様に、前記省電力モードからの復帰処理の制御プログラムが簡素化される。
【００８８】
以上に示した実施形態においては、前記ローカル制御部１４，３１，４１は、電力供給が停止されることにより、電力の消費が制限される休止状態となる。しかしながら、前記プリンタ制御部４１の休止状態は、前記メインＣＰＵ２１の休止状態と同様の状態であることも考えられる。即ち、前記ローカル制御部１４，３１，４１の休止状態は、最小限の電力を消費する状態であって、起動信号の入力に応じて自動起動することが可能であるが、他の機器の制御を行うことはできない状態であることも考えられる。
【産業上の利用可能性】
【００８９】
本発明は、画像処理装置に利用可能である。
【符号の説明】
【００９０】
１，２，３  画像処理装置
１０  ＭＭＩ基板
１１  キーマトリクス
１２  パネルディスプレイ
１３  発光ダイオード
１４  ＭＭＩ制御部
１８  節電キー
２０  メイン基板
２１  メインＣＰＵ
２２  ＲＯＭ
２３  ＳＲＡＭ
２４  コーデック
２５  モデム
３０  スキャナユニット
３１  スキャナ制御部
３２  ＣＣＤラインセンサ
３３  原稿センサ
３４  原稿カバーセンサ
４０  プリンタユニット
４１  プリンタ制御部
４２  搬送路カバーセンサ
４３  カセットセンサ
４４  ジャムセンサ
５０  ＮＣＵ基板
６０  ＬＡＮインターフェース基板
６１  サブＣＰＵ
６２  デュアルポートＲＡＭ
７０  第１電源
７１〜７３  制御スイッチ
８０  第２電源
１０１  第１のバス
１０２  第２のバス
１１１  第１信号伝送ライン
１１２  第２信号伝送ライン
１１３  第３信号伝送ライン
１１４，１１５  信号線
１２１  電話回線
１２２  ネットワーク
【図１】
0005440153.tif 000002
【図２】
0005440153.tif 000003
【図３】
0005440153.tif 000004
【図４】
0005440153.tif 000005
【図５】
0005440153.tif 000006